(57)【要約】【課題】取り扱うデータ種に応じて無線リソースを有効に利用することを可能にした無線基地局装置を提供する。【解決手段】リアルタイムデータと、非リアルタイムデータと、シェアドデータとの３種のデータのそれぞれの通信処理に対応して割り当てられる、所定の帯域幅の複数の無線リソースと、無線リソース毎の使用状況を記録するためのテーブルを格納し、新たなリアルタイムデータの無線リソースの設定要求を受け、テーブルを参照し、空きリソースがない場合、シェアドデータの通信処理に割り当てられた無線リソースの一部を新たなリアルタイムデータの通信処理に割り当て、新たなシェアドデータの無線リソースの設定要求を受け、テーブルを参照し、空きリソースがない場合、非リアルタイムデータの通信処理に割り当てられた無線リソースの一部を新たなシェアドデータの通信処理に借用する制御部と、を有する。【選択図】図１
2008177846.tif 000002
【特許請求の範囲】
【請求項１】
連続的なデータでリアルタイム性が要求されるリアルタイムデータと、バースト的なデータでリアルタイム性が要求されない非リアルタイムデータと、前記バースト的なデータを所定の制御周期で通信処理して時分割で転送するシェアドサービスによるデータであるシェアドデータとの３種のデータのそれぞれの通信処理に対応して割り当てられる、所定の帯域幅の複数の無線リソースと、
前記無線リソース毎の使用状況を記録するためのテーブルを格納し、新たな前記リアルタイムデータの無線リソースの設定を要求する旨の信号を受信し、前記テーブルを参照して未使用の無線リソースである空きリソースがない場合、前記テーブルを参照して前記シェアドデータの通信処理に割り当てられた無線リソースを特定し、特定した無線リソースの一部を前記新たなリアルタイムデータの通信処理に割り当て、新たな前記シェアドデータの無線リソースの設定を要求する旨の信号を受信し、前記テーブルを参照して前記空きリソースがない場合、前記テーブルを参照して前記非リアルタイムデータの通信処理に割り当てられた無線リソースを特定し、特定した無線リソースの一部を前記新たなシェアドデータの通信処理に借用する制御部と、
を有する無線基地局装置。
【請求項２】
前記３種のデータのそれぞれの通信処理に割り当てられた前記無線リソースに優先度が設定され、
前記制御部は、
前記テーブルを参照して前記シェアドデータの通信処理に割り当てられた無線リソースを特定すると、特定した無線リソースのうち前記優先度の最も低い無線リソースに予約フラグを設定し、その後の最初の前記制御周期のタイミングで、前記予約フラグが設定された無線リソースを解放し、解放した無線リソースを前記新たなリアルタイムデータの通信処理に割り当てる、請求項１記載の無線基地局装置。
【請求項３】
前記制御部は、
前記非リアルタイムデータの通信処理に割り当てられた無線リソースの単位時間あたりのデータ流量を監視し、該無線リソースの借用が可能か否かを判定するための基準となる閾値よりも前記データ流量が小さければ、該無線リソースに借用可能フラグを設定し、前記テーブルを参照して前記非リアルタイムデータの通信処理に割り当てられた無線リソースを特定すると、前記借用可能フラグが設定された無線リソースを前記新たなシェアドデータの通信処理に借用し、該通信処理の終了後、借用した無線リソースを元の前記非リアルタイムデータの通信処理に再び割り当てる、請求項１または２記載の無線基地局装置。
【請求項４】
無線基地局装置による無線リソース管理方法であって、
連続的なデータでリアルタイム性が要求されるリアルタイムデータと、バースト的なデータでリアルタイム性が要求されない非リアルタイムデータと、前記バースト的なデータを所定の制御周期で通信処理して時分割で転送するシェアドサービスによるデータであるシェアドデータとの３種のデータのそれぞれの通信処理に対応して割り当てられる、所定の帯域幅の複数の無線リソースにおける該無線リソース毎の使用状況を記録するためのテーブルを格納し、
新たな前記リアルタイムデータの無線リソースの設定を要求する旨の信号を受信し、前記テーブルを参照して未使用の無線リソースである空きリソースがない場合、前記テーブルを参照して前記シェアドデータの通信処理に割り当てられた無線リソースを特定し、特定した無線リソースの一部を前記新たなリアルタイムデータの通信処理に割り当て、
新たな前記シェアドデータの無線リソースの設定を要求する旨の信号を受信し、前記テーブルを参照して前記空きリソースがない場合、前記テーブルを参照して前記非リアルタイムデータの通信処理に割り当てられた無線リソースを特定し、特定した無線リソースの一部を前記新たなシェアドデータの通信処理に借用する、無線リソース管理方法。
【請求項５】
前記３種のデータのそれぞれの通信処理に割り当てられた前記無線リソースに優先度を設定し、
前記テーブルを参照して前記シェアドデータの通信処理に割り当てられた無線リソースを特定すると、特定した無線リソースのうち前記優先度の最も低い無線リソースに予約フラグを設定し、
その後の最初の前記制御周期のタイミングで、前記予約フラグが設定された無線リソースを解放し、
解放した無線リソースを前記新たなリアルタイムデータの通信処理に割り当てる、請求項４記載の無線リソース管理方法。
【請求項６】
前記非リアルタイムデータの通信処理に割り当てられた無線リソースの単位時間あたりのデータ流量を監視し、該無線リソースの借用が可能か否かを判定するための基準となる閾値よりも前記データ流量が小さければ、該無線リソースに借用可能フラグを設定し、
前記テーブルを参照して前記非リアルタイムデータの通信処理に割り当てられた無線リソースを特定すると、前記借用可能フラグが設定された無線リソースを前記新たなシェアドデータの通信処理に借用し、
前記通信処理の終了後、借用した無線リソースを元の前記非リアルタイムデータの通信処理に再び割り当てる、請求項４または５記載の無線リソース管理方法。
【発明の詳細な説明】
【技術分野】
【０００１】
本発明は、無線基地局装置および無線リソース管理方法に関する。
【背景技術】
【０００２】
近年、ＣＤＭＡ（Code Division Multiple Access）の通信方式の特性として、最高ビットレートが高いことに加えて、取り扱うデータがパケットデータのようなバーストデータになり、かつビットレートの変動幅が大きくなっている。一方、ＨＳＤＰＡ／ＨＳＵＰＡ（High Speed Downlink Packet Access / High Speed Uplink Packet Access）のように、無線リソースの割り当てを、ある制御周期で時分割に適用的に行うことで無線リソースをシェアするシェアドサービスが行われるようになった（特許文献１参照）。このサービスは、各ユーザ端末へのデータ送受信の際にそれぞれ同数の無線リソースを確保するのではなく、ユーザ端末の要求に応じて異なる無線リソース数を設定するものである。
【特許文献１】特開２００４−３１２７３９号公報
【発明の開示】
【発明が解決しようとする課題】
【０００３】
従来、これらのデータが同一ＣＤＭＡシステム配下で同時にサポートされるため、ＣＤＭＡ無線基地局における無線リソースを高速に適用的に配置しないと、物理的に有限であるＣＤＭＡ無線基地局の無線リソースの使用に無駄が発生し、無線区間の使用効率を低下させてしまうという問題があった。また、今後、ビットレートが一定で、リアルタイム性が要求される連続的なデータの送受信の要求が増える可能性があり、取り扱うデータ種とデータ量に応じて能力限界のある無線リソースを効率よく利用しなければならない。
【０００４】
本発明は上述したような従来の技術が有する問題点を解決するためになされたものであり、取り扱うデータ種に応じて無線リソースを有効に利用することを可能にした無線基地局装置および無線リソース管理方法を提供することを目的とする。
【課題を解決するための手段】
【０００５】
上記目的を達成するための本発明の無線基地局装置は、
連続的なデータでリアルタイム性が要求されるリアルタイムデータと、バースト的なデータでリアルタイム性が要求されない非リアルタイムデータと、前記バースト的なデータを所定の制御周期で通信処理して時分割で転送するシェアドサービスによるデータであるシェアドデータとの３種のデータのそれぞれの通信処理に対応して割り当てられる、所定の帯域幅の複数の無線リソースと、
前記無線リソース毎の使用状況を記録するためのテーブルを格納し、新たな前記リアルタイムデータの無線リソースの設定を要求する旨の信号を受信し、前記テーブルを参照して未使用の無線リソースである空きリソースがない場合、前記テーブルを参照して前記シェアドデータの通信処理に割り当てられた無線リソースを特定し、特定した無線リソースの一部を前記新たなリアルタイムデータの通信処理に割り当て、新たな前記シェアドデータの無線リソースの設定を要求する旨の信号を受信し、前記テーブルを参照して前記空きリソースがない場合、前記テーブルを参照して前記非リアルタイムデータの通信処理に割り当てられた無線リソースを特定し、特定した無線リソースの一部を前記新たなシェアドデータの通信処理に借用する制御部と、
を有する構成である。
【０００６】
本発明では、通話などのリアルタイムデータについて新規にリソース設定の要求があると、通話は緊急を要することもあるから、他のデータよりも優先される。シェアドデータは制御周期毎に転送処理が行われるため、非リアルタイムデータに比べると、その周期の変わり目で無線リソースを解放させることが可能である。そのため、シェアドデータの無線リソースを新規のリアルタイムデータ用に設定することで、緊急性に対応でき、かつ、通信エラーの発生を防げる。一方、非リアルタイムデータはランダムにバースト的に伝送されるため、単位時間あたりのデータ流量が小さいときには、その途中で一時的に無線リソースを他に借用することが可能である。リアルタイムデータの通信処理のためには一時的な無線リソースの借用では不足だが、制御周期でデータ転送処理を行うシェアドサービスに一時的に借用することが可能である。このようにして、取り扱うデータ種に応じて通信処理を効率的に行うことが可能となる。
【発明の効果】
【０００７】
本発明によれば、リアルタイムデータの通信サービス、バースト的な非リアルタイムデータの通信サービス、およびシェアドサービスのそれぞれの要求に応じて、効率的に無線リソースの設定および解放を行うことが可能となる。そのため、無線リソースの有効利用を図ることができる。
【発明を実施するための最良の形態】
【０００８】
本発明の無線基地局装置は、新規に無線リソースの設定要求があると、既に通信処理されているデータの種類の性質に応じて無線リソースの解放または借用を行うことを特徴とする。以下で説明する本発明の実施例では、無線通信方式をＣＤＭＡの場合とする。
【実施例１】
【０００９】
本実施例の無線基地局装置の構成を説明する。図１は本実施例の無線基地局装置の一構成例を示すブロック図である。
【００１０】
図１に示す無線基地局システム１００は、ＨＳｘＰＡ機能に対応したシステムであり、無線基地局装置１０１と、無線基地局制御装置１０２とを有する。無線基地局装置１０１と無線基地局制御装置１０２とは通信接続される。１台の無線基地局制御装置１０２が複数の無線基地局装置１０１を制御してもよい。
【００１１】
無線基地局制御装置１０２は、無線基地局装置１０１を介してユーザ端末からリソース設定を要求する旨の信号であるリソース設定要求信号を受け取ると、その信号を無線基地局装置１０１に送信する。リソース設定要求信号には、ユーザ端末の取り扱うデータ種およびそのデータの通信に必要とするリソース数の情報が含まれている。なお、無線基地局制御装置１０２については、従来の構成と同様であるため、その詳細な説明を省略する。
【００１２】
無線基地局装置１０１には、所定の帯域幅の複数の無線リソースを含む無線リソース群１１０と、取り扱うデータ種のデータ量に対応して無線リソースを割り当てる制御部１３０とが設けられている。
【００１３】
制御部１３０は、無線基地局制御装置１０２と接続される呼制御部１１６、各無線リソースのアサインを管理するための情報が記述された無線リソース管理テーブル１１１と、無線基地局制御装置１０２からリソース設定要求により、提供する無線サービスに適合した無線リソースの設定／解放、または所定の制御周期で適用的にリソースの設定／解放を行う無線リソース管理部群１１２とを有する構成である。
【００１４】
提供する無線サービスとは、音声通話やストリーミングデータなど連続的なデータでリアルタイム性が要求されるリアルタイムデータについての通信サービスと、Ｗｅｂページのデータなどバースト的なデータでリアルタイム性が要求されない非リアルタイムデータについての通信サービスと、バースト的なデータを所定の制御周期で通信処理して時分割で転送するＨＳＤＰＡやＨＳＵＰＡのようなシェアドサービスの３種類である。
【００１５】
無線リソース管理部群１１２は、データ種に対応して無線リソース管理部１１３、無線リソース管理部１１４および無線リソース管理部１１５を有する。
【００１６】
無線リソース管理部１１３は、音声通話のような通信レートが一定で、リソースを占有するリアルタイムデータのリソースの設定／解放を含むリソース管理とその通信処理を行う。無線リソース管理部１１４は、Ｗｅｂページのデータなど、リソースを占有するが、通信レートがランダムに変化する非リアルタイムデータのリソース管理とその通信処理を行う。無線リソース管理部１１５は、上記シェアドサービスによるデータであるシェアドデータのリソース管理とその通信処理を行う。データの種類によって、単位時間あたりに送信されるデータ量が異なるため、各無線リソース管理部が必要とするリソースの数が異なる。また、リソース設定要求信号に含まれるリソース数の情報によっても、設定されるリソースの数は異なる。
【００１７】
図１の無線リソース群１１０は、無線基地局装置１０１の通信処理能力を模式的に示すものである。所定の帯域幅の複数の無線リソース（以下では、単にリソースと称する）に対して通信処理を割り当てることが可能である。各リソースは、リアルタイムデータや非リアルタイムデータなどのデータ種によらず共通に使用可能である。図１では、リソース毎に異なる識別子を「＃ｋ（ｋは１からＮの任意の整数。Ｎは２以上の整数）」で示す。各無線リソース管理部は、１つのリソースまたは複数のリソースを使用して、ＣＤＭＡ無線区間のベースバンド処理を行う。
【００１８】
リソース借用判定部１１７は、１つのデータ種の通信処理のために既に設定したリソースに対する単位時間のデータ流量を測定することで、そのリソースを借用して一時的に他のサービスに割り込ませて使うことが可能か否かを判断する。
【００１９】
呼制御部１１６は、無線基地局制御装置１０２より受け取るリソース設定要求信号からデータ種を識別し、識別した結果に応じて、いずれの無線リソース管理部にリソース管理を行わせるか、３つの無線リソース管理部から１つの無線リソース管理部を選択し、選択した無線リソース管理部に処理させる。
【００２０】
なお、図に示さないＣＰＵ（Central Processing Unit）がプログラムにしたがって所定の処理を実行することで、呼制御部１１６、無線リソース管理部１１３、無線リソース管理部１１４、無線リソース管理部１１５、およびリソース借用判定部１１７が無線基地局装置１０１内に仮想的に構成される。図に示さないメモリにプログラムが格納されている。
【００２１】
無線リソース管理テーブル１１１について説明する。図２は無線リソース管理テーブルの一例を示す図である。本実施例では、リソースの数が３２の場合とする。
【００２２】
図２のテーブルに示すように、無線リソース群１１０に対して個別のリソース毎に使用状況を示すフラグ（使用状況フラグ）と、予約状況を示すフラグ（予約フラグ）、サービスの優先度を示すフラグ（サービス優先度フラグ）、一時的に借用可能か否かを示すリソース借用フラグが対応付けられている。無線リソース管理部群１１２の各無線リソース管理部はこのテーブルにアクセスして参照することが可能である。以下にそれぞれのフラグの役目を説明する。
【００２３】
はじめに、「使用状況フラグ」について説明する。本フラグは、該当リソースをどの無線リソース管理部が使用中かを示している。このフラグに対して、無線リソース管理部群１１２の各無線リソース管理部がフラグをＯＮ（設定値１）／ＯＦＦ（設定値０）する。無線リソース管理部１１３が使用中の場合は１、無線リソース管理部１１４が使用中の場合は２、無線リソース管理部１１５が使用中の場合は３、未使用の場合は０とする。リソースを解放するとき、無線リソース管理部が本フラグを未使用（＝０）に設定する。
【００２４】
図２に示す「予約フラグ」について説明する。本フラグは、リソースが不足している場合に立てるフラグであり、リソースの予約を行うためのものである。シェアドサービスを扱う無線リソース管理部１１５がＯＮ／ＯＦＦを行うことで設定される。シェアドサービスでは、制御周期の単位で通信処理を行うため、処理中断の対象になりやすい。制御周期の切れ目でリソースを解放するのであれば、正常な通信処理が行われ、通信エラーが発生するのを防げるからである。
【００２５】
図２に示す「サービス優先度フラグ」について説明する。本フラグは任意の値をとり、サービスの優先度を表す指標となる。例えば、１５が最優先、１４、１３、１２、…と順に優先度が落ちていく構成とする。ここで、無線リソース管理部１１３が扱うリアルタイムサービスが常時最優先とし、無線リソース管理部１１３は常時１５のフラグを立てる。リアルタイムデータが最優先されるのは、通話は緊急を要することがあるためである。また、無線リソース管理部１１４と無線リソース管理部１１５は、扱う非リアルタイムデータに必要なＱｏＳ（Quality of Service）に対応して、複数種の値をとることが可能である。どのようなＱｏＳのときにフラグに設定する値をいくつにするかは予めプログラムに記述されている。
【００２６】
図２に示す「リソース借用フラグ」について説明する。本フラグは、該当リソースが一時的に他のサービスからの借用が可能かどうかを表す。リアルタイムデータの通信に使用されているリソースは借用ができないことから、使用状況フラグが２に設定されたリソースが本フラグの設定対象となる。
【００２７】
このフラグの設定は、図１におけるリソース借用判定部１１７において判定される。リソース借用判定部１１７は、無線リソース管理部１１４が扱う非リアルタイムデータに使用されているリソースに対して、ある単位時間におけるデータの流量を測定する。このデータの流量がある一定値以下であると、リソース借用判定部１１７は、一時的に他のサービスへのリソースの利用を許可し、無線リソース管理テーブル１１１の本フラグに１を設定する。この一定値が、使用中のリソースを他のサービスのリソースに一時的に利用を許可するか否かを判断するための閾値となる。
【００２８】
次に、本実施例の無線基地局装置の動作を説明する。
【００２９】
図３Ａおよび図３Ｂは本実施例の無線基地局装置の動作手順を示すフローチャートであり、図３Ａと図３Ｂのフローチャートは印（＊）でつながっている。
【００３０】
まず、無線基地局制御装置１０２がユーザ端末からリソース設定要求信号を受け取ると、その要求信号を無線基地局装置１０１に送信する。無線基地局装置１０１の呼制御部１１６は、無線基地局制御装置１０２からリソース設定要求信号を受信すると、リソース設定要求信号のデータ種を認識し、認識したデータ種によって無線リソース管理部群１１２から適切な無線リソース管理部を選択して処理を指示する（ステップ１０００）。
【００３１】
データ種がリアルタイムデータ（音声やストリーミングデータなど）の場合について説明する。
【００３２】
ステップ１０００において、呼制御部１１６は、データ種がリアルタイムデータであると判断すると、無線リソース管理部１１３に対して処理の指示を行う。指示を受けた無線リソース管理部１１３は、無線リソース管理テーブル１１１を参照し（ステップ１００１）、空きリソース（使用状況フラグ＝０）があるか否かを調べる（ステップ１００２）。空きリソースがあると判断すると、必要数分のリソースを確保し、それらのリソースの使用状況フラグを１に設定する（ステップ１００３）。その後、実際にリソース群１１０に対してリソースの設定を行って、通信を開始する（ステップ１００４）。
【００３３】
一方、ステップ１００２で、空きリソースがないと判断すると、無線リソース管理テーブル１１１のサービス優先度フラグと使用状況フラグを参照し、サービス優先度の順位が一番低く、かつ使用状況フラグが３（シェアドサービス）としてアサインされているリソースがあるか否かを調べる（ステップ１００５）。その条件に合ったリソースがある場合、そのリソースについて予約フラグを１に設定する（ステップ１００６）。
【００３４】
そして、シェアドサービスの次の制御周期のタイミングにおいて、無線リソース管理部１１５は、予約フラグが１に設定されたリソースを無線リソース管理部１１３に受け渡す（ステップ１００７）。無線リソース管理部１１３は、受け取ったリソースについての使用状況フラグを１に設定し（ステップ１００８）、その後、実際にリソース群１１０に対してリソースの設定を行い、リアルタイムデータの通信を開始する（ステップ１００９）。
【００３５】
なお、ステップ１００５で、使用状況フラグが３（シェアドサービス）としてアサインされているリソースがない場合、無線リソース管理部１１３は、リソース設定要求を拒否する（ステップ１０１０）。
【００３６】
データ種が非リアルタイムデータの場合について説明する。
【００３７】
ステップ１０００において、呼制御部１１６は、データ種が非リアルタイムデータであると判断すると、無線リソース管理部１１４に対して処理の指示を行う。指示を受けた無線リソース管理部１１４は、無線リソース管理テーブル１１１を参照し（ステップ１０１１）、空きリソース（使用状況フラグ＝０）があるか否かを調べる（ステップ１０１２）。空きリソースがある場合、必要数分のリソースを確保し、使用状況フラグを２に設定する（ステップ１０１３）。その後、実際にリソース群１１０に対してリソースを設定し、通信を開始する（ステップ１０１４）。
【００３８】
リソース借用判定部１１７は、通信処理中にリソース借用判定を開始し（ステップ１０１５）、パケット流量が閾値より大きいか否かを調べる（ステップ１０１６）。単位時間のパケット流量が閾値よりも小さければ、リソース借用フラグに１を設定する（ステップ１０１７）。単位時間のパケット流量が閾値以上であれば、リソース借用フラグを０のままにし、ステップ１０１５に戻ってパケット流量の監視を続ける。なお、ステップ１０１２で、空きリソースがない場合、無線リソース管理部１１４は、リソース設定要求を拒否する（ステップ１０１８）。
【００３９】
データ種が、ＨＳＤＰＡやＨＳＵＰＡなどのシェアドサービスによるシェアドデータの場合について説明する。ここで、シェアドサービスを実行する際の無線リソース管理部１１５による動作について図４を参照して説明する。
【００４０】
図４に示すように、無線リソース管理部１１５は、予め決められた制御周期３００毎に、次回の制御周期で無線リソースを使って無線通信を行うべきユーザをタイミング３０１で特定する。そして、特定したユーザに対して、データ通信に必要なリソース数を決定し、無線リソース管理テーブル１１１をタイミング３０２で参照する。所定の制御周期毎に必要なリソースが変化するため、このようにして、無線リソース管理部１１５は、その都度、無線リソース管理テーブル１１１を参照している。
【００４１】
図３Ａのステップ１０００において、呼制御部１１６は、データ種がシェアドデータであると判断すると、無線リソース管理部１１５に対して処理の指示を行う。指示を受けた無線リソース管理部１１５は、必要なリソース数を特定すると、次の制御周期のタイミングで（ステップ１０２１）、無線リソース管理テーブル１１１を参照し（ステップ１０２２）、必要な空きリソース（使用状況フラグ＝０）があるか否かを調べる（ステップ１０２３）。
【００４２】
ステップ１０２３で、次回の制御周期で必要な空きリソースがある場合、無線リソース管理部１１５は、そのリソースを確保し、使用状況フラグを３に設定する（ステップ１０２４）。その後、実際に無線リソース群１１０に対してリソースの設定を行うことで、次回の制御周期で通信可能となる（ステップ１０２５）。その制御周期が終了すると、使用状況フラグを０に戻す（ステップ１０２６）。
【００４３】
一方、ステップ１０２３で、次回の制御周期で必要な空きリソースがない場合（使用状況フラグ＝１or２）、無線リソース管理部１１５は、無線リソース管理テーブル１１１のリソース借用フラグを参照し、リソースの借用が可能か否かを判定する（ステップ１０２７）。
【００４４】
ステップ１０２７で、無線リソース管理テーブル１１１のリソース借用フラグに１が設定されていると、無線リソース管理部１１５は、そのフラグに１が設定されたリソースが必要なリソース数を満たしているかを調べる。必要なリソース数を満たしていると判断すると、リソースの借用を実行するために、リソース借用フラグが１に設定されたリソースに対して、次の制御周期のタイミングで使用状況フラグを３に設定する（ステップ１０２８）。実際に無線リソース群１１０に対してリソースの設定を行って、それらのリソースを使用して次の制御周期のみ通信を行った後（ステップ１０２９）、制御周期終了のタイミングで、借用したリソースの使用状況フラグを２に戻す（ステップ１０３０）。
【００４５】
ステップ１０２７で、無線リソース管理テーブル１１１のリソース借用フラグに１が設定されていなければ、または、必要とするリソース数を確保できなければ、無線リソース管理部１１５は、リソースの借用ができないと判断し、任意のリソースに対して必要数分の予約フラグを１に設定する。
【００４６】
実際の通信タイミングになる前に、予約フラグに１が設定されたリソースが解放されると（ステップ１０３２）、無線リソース管理部１１５は、解放されたリソースの使用状況フラグを３に変更する（ステップ１０３３）。そして、次の制御周期のタイミングで、実際に無線リソース群１１０に対してリソースの設定を行うことで、その制御周期で通信可能となる（ステップ１０３４）。その制御周期が終了すると、使用状況フラグを０に戻す（ステップ１０３５）。
【００４７】
なお、無線リソース管理部１１３または無線リソース管理部１１４は、自分が管理していたリソースの解放を契機に無線リソース管理テーブル１１１を参照し、解放したリソースの予約フラグに１が設定されていたら、リソース解放と同時に使用状況フラグを３に変更する。このように、リソースの使用状況フラグの変更を無線リソース管理部１１５の代わりに、無線リソース管理部１１３または無線リソース管理部１１４が行ってもよい。
【００４８】
ステップ１０３２で、実際の通信タイミングにおいて、予約フラグに１が設定されたリソースが解放されなければ、無線リソース管理部１１５は、次の制御周期での通信が不可であると判断し、予約フラグの設定を１から０（＝解放）に戻し、再度、無線リソース管理テーブル１１１の全体参照を行い、ステップ１０２３の空きリソースの有無の判定に戻る。
【００４９】
本実施例の無線基地局装置では、通話などのリアルタイムデータについて新規にリソース設定の要求があると、通話は緊急を要することもあるから、他のデータよりも優先する。そして、シェアドデータは制御周期毎に転送処理が行われるため、非リアルタイムデータに比べると、その周期の変わり目で無線リソースを解放させることが可能である。そのため、シェアドデータの無線リソースを新規のリアルタイムデータ用に設定することで、緊急性に対応でき、かつ、通信エラーの発生を防げる。
【００５０】
一方、非リアルタイムデータはランダムにバースト的に伝送されるため、単位時間あたりのデータ流量が小さいときには、その途中で一時的に無線リソースを他に借用することが可能である。リアルタイムデータの通信処理のためには一時的な無線リソースの借用では不足だが、制御周期でデータ転送処理を行うシェアドサービスに一時的に借用することが可能である。本実施例では、新規のシェアドサービスのリソース設定要求に対して、非リアルタイムデータ用の無線リソースを借用する。このようにして、取り扱うデータ種に応じて通信処理を効率的に行うことが可能となる。
【００５１】
また、シェアドデータの無線リソースを新規のリアルタイムデータ用に設定する際、優先度の低いシェアドデータを扱う無線リソースを割り当てれば、重要な通信への悪影響を抑制できる。
【００５２】
本発明では、リアルタイムデータの通信サービス、バースト的な非リアルタイムデータの通信サービス、およびシェアドサービスのそれぞれの要求に応じて、効率的に無線リソースの設定および解放を行うことが可能となる。そのため、無線リソースの有効利用を図ることができる。
【００５３】
また、リソースの借用や使用予約を行うことで、ビットレートがダイナミックに変化するバーストデータに対しても、効率的に無線リソースを割り当ることが可能となり、リソースの使用効率、および無線区間の使用効率を向上させることができる。
【００５４】
さらに、リソースの使用効率が向上することで無線キャパシティーが向上し、向上した無線キャパシターと同じ性能の無線基地局装置を改めて開発する必要がなく、無線基地局装置の製造原価の増加を抑制できる。
【００５５】
なお、本実施例では、無線リソース管理テーブル１１１が制御部１３０に格納されているが、無線基地局装置１０１に記憶部を設け、そのテーブルが記憶部に格納されていてもよい。また、制御部１３０内でも、呼制御部１１６、無線リソース管理部群１１２、および無線リソース群１１０のうちいずれかに格納されていてもよい。無線リソース管理テーブル１１１の格納先は無線基地局装置１０１内であれば限定されない。
【００５６】
また、リソース借用判定部１１７を呼制御部１１６、無線リソース管理部群１１２および無線リソース群１１０の３つの構成とは別に示したが、リソース借用判定部１１７がこれら３つの構成のうちいずれかに含まれていてもよい。
【００５７】
さらに、ユーザ端末からのリソース設定要求信号にリソース数の情報を含むとしたが、データ種から必要とするリソース数を決定するようにしてもよい。
【実施例２】
【００５８】
実施例１では、無線リソース管理テーブル１１１をいずれの無線リソース管理部も参照できるように制御部１３０または記憶部（不図示）のメモリ上に設けるものとした。本実施例では、無線リソース管理部群１１２と無線リソース群１１０との間のインタフェースとして何らかのプロトコルでその情報を無線リソース管理部群１１２に伝えるようにしたものである。
【００５９】
図５は本実施例の無線基地局システムの一構成例を示すブロック図である。なお、実施例１と同様な構成については同一の符号を付し、その詳細な説明を省略する。
【００６０】
図５に示すように、本実施例の無線基地局装置２０１は、呼制御部１１６と、無線リソース管理部群１１２と、無線リソース群２１０とを有する。無線リソース群２１０には、リソース借用判定部１１７が含まれている。実施例１で説明した無線リソース管理テーブル１１１は無線リソース群２１０側で管理される。
【００６１】
本実施例では、呼制御部１１６および無線リソース管理部群１１２を制御するＣＰＵと、リソース借用判定部１１７を制御するＣＰＵとが別々に設けられている。また、ＣＰＵが実行するプログラムも、別々に格納されている。
【００６２】
図５において、無線基地局制御装置１０２からのリソース設定要求信号の受信、または、シェアドサービスの任意の制御周期をトリガとして、無線リソース管理部群１１２のいずれかの無線リソース管理部が、リソース状態を問い合わせるためのリソース状態問い合わせメッセージ５００を無線リソース群２１０に送信する。リソース借用判定部１１７は、その応答として、無線リソース管理テーブル１１１の情報を含むリソース状態応答メッセージ５１０を無線リソース管理部群１１２に送信する。
【００６３】
この場合、各種フラグを更新する構成がいずれであるかを特に規定しない。つまり、無線リソース管理部群１１２内の無線リソース管理部、または、無線リソース群１１０のリソース借用判定部１１７のいずれが行ってもよい。更新されたテーブルの情報は無線リソース群２１０のリソース借用判定部１１７で管理される。
【００６４】
また、リソース状態応答メッセージ５１０に含まれる無線リソース管理テーブル１１１は、必ずしも全てのリソース状態を反映したものである必要はない。つまり、空きリソース、予約フラグおよびリソース借用フラグのうち少なくともいずれかに１が設定されているリソースの情報のみを、無線リソース管理テーブルに記述して無線リソース管理部群１１２に通知してもよい。これにより、リソース状態応答メッセージ５１０の情報量を少なくすることができる。
【００６５】
本実施例の無線基地局装置においても、実施例１と同様な効果が得られる。
【図面の簡単な説明】
【００６６】
【図１】実施例１の無線基地局装置の一構成例を示すブロック図である。
【図２】無線リソース管理テーブルの一例を示す図である。
【図３Ａ】実施例１の無線基地局装置の動作手順を示すフローチャートである。
【図３Ｂ】実施例１の無線基地局装置の動作手順を示すフローチャートである。
【図４】シェアドサービスを実行する際の無線リソース管理部の動作を説明するための図である。
【図５】実施例２の無線基地局装置の一構成例を示すブロック図である。
【符号の説明】
【００６７】
１０１    無線基地局装置
１１０    無線リソース群
１１１    無線リソース管理テーブル
１１２    無線リソース管理部群
１１３、１１４、１１５    無線リソース管理部
１１６    呼制御部
【図１】
2008177846.tif 000003
【図２】
2008177846.tif 000004
【図３Ａ】
2008177846.tif 000005
【図３Ｂ】
2008177846.tif 000006
【図４】
2008177846.tif 000007
【図５】
2008177846.tif 000008